(57)【要約】【課題】  構成、構造を単純化してコストの低減をはかり、しかも、操作も単純化して用紙の種類に関係なく正常動作が続行できるようにする。【解決手段】  搬送路面１１０上に載せられて搬送されてきた用紙の上面に接触し、かつこの用紙が接触点のまわりに回転可能なように接触する用紙上面加圧接触機構２００を設ける。この用紙上面加圧接触機構２００による用紙上面に対する接触圧力を調整、制御する接触圧力調整制御部３００を設ける。用紙上面加圧接触機構２００には用紙上面に接触するボール２１０を含み、接触圧力調整制御部３００には、上流側、下流側等の情報を記憶する記憶部を含み、この記憶情報に基づいて圧力を制御する。【選択図】        図２
2007008625.tif 000002
【特許請求の範囲】
【請求項１】
上流側から搬送されてきた用紙の縦横方向を、下流側の処理に合うように変換する用紙方向変換装置であって、次の各構成を有することを特徴とする用紙方向変換装置。
（イ）前記用紙を搬送路面上に載せて下流側へと搬送する搬送路
（ロ）前記搬送路面上に載せられ搬送されてきた用紙の上面に加圧接触し、かつ、前記用紙がこの接触点のまわりに回転可能なように接触する用紙上面加圧接触機構
（ハ）前記用紙上面加圧接触機構による前記用紙上面に対する接触圧力を、上流側から搬送されてくる用紙に関する情報及び下流側の処理情報に基づき調整、制御する接触圧力調整制御部
【請求項２】
前記用紙上面加圧接触機構が、
前記搬送路面との間に前記用紙を挟んでその上面に接触するボールと、このボールが前記搬送路面上の一定の位置をキープするようにこのボールを保持するボール保持部と、
前記ボールを前記搬送路面上の用紙上面に設定圧力で押し付けるボール押圧手段と、
を備えて成る請求項１記載の用紙方向変換装置。
【請求項３】
前記ボール押圧手段が、
一端が保持され他方端側で前記ボールを前記搬送路面方向に加圧するばねと、
前記ボール保持部に、ねじを介して回転可能なように保持され、かつ、前記ばねの一端を保持して、回転することにより前記ばねの押圧力を変化されるばね圧制御機構部と、
モータにより前記ばね圧制御機構部を回転させて前記ばねの押圧力を変化させ、前記ボールによる用紙上面への押圧力を調整、制御する押圧力制御部と、
を含んで成る、請求項２記載の用紙方向変換装置。
【請求項４】
前記接触圧力調整制御部が、
上流側から搬送されてくる用紙に関する情報、及び下流側の処理に関する情報並びにこの用紙方向変換装置の動作情報を記憶しておく記憶部と、
この記憶部に記憶されている情報に基づいて、前記用紙上面加圧接触機構による前記用紙に対する接触圧力を調整、制御する制御部と、
この制御部からの指令により動作する制御機構部と、
を備えて成る請求項１乃至請求項３のいずれか１項に記載の用紙方向変換装置。
【請求項５】
請求項１乃至請求項４のいずれか１項に記載の用紙方向変換装置と、
その上流に、この用紙方向変換装置に用紙を供給する用紙供給装置と、その下流に、この用紙方向変換装置から搬送されてきた用紙に対する後処理を行う用紙後処理装置と、
を配備して成る用紙処理システム。
【発明の詳細な説明】
【技術分野】
【０００１】
本発明は用紙方向変換装置および用紙処理システムに関し、特に用紙供給源からの用紙の方向を下流側の処理装置に合うように変換する手段を備えた用紙方向変換装置および用紙処理システムに関する。
【背景技術】
【０００２】
印刷機などから排出された用紙を、次の工程で処理する場合、用紙の方向が９０°異なるような場合があり、このような場合には、排出された用紙の方向を次工程の処理装置に合わせるように変換する必要がある。
このような、用紙方向変換装置の、背景技術における一例について説明する。
【０００３】
この用紙方向変換装置は、用紙を、そのほぼ中央部分で回転可能なように保持する。用紙搬送路の幅方向ほぼ中央部分に配置された用紙保持手段と、この用紙保持手段に対し、用紙搬送路の幅方向両側に配設されてそれぞれ別々に動作する用紙方向転換用ローラとを有している。
【０００４】
この用紙方向変換装置においては、用紙搬送路で搬送されてきた用紙を、まず、用紙保持手段により、その中央部分を上下から挟んで保持する。
このとき用紙は、保持点に対し回転可能なように保持される構造となっている。
【０００５】
この用紙保持手段の両側に配置された用紙方向変換用ローラは、それぞれが、用紙をその位置で下流方向へと搬送駆動できるように、下側の搬送駆動ローラと、その上側の搬送ピンチローラとを備えており、また上側の搬送ピンチローラは、ニップ解除ソレノイドをオン・オフすることにより上下する構造となっている。そして、このニップ解除ソレノイドをオフとすることにより上側の搬送ピンチローラを自重で下降させて、下側の搬送駆動ローラと共に、用紙をその部分で挟んでその部分を下流側へと押し出すようにし、また、ニップ解除ソレノイドをオンとすることにより、上側の搬送ピンチローラを上方に退避させて、用紙に対する搬送力を無くすようにしている。
【０００６】
即ち、用紙保持手段の両側に配置された用紙方向変換用ローラに対し、その片方のみに用紙搬送力を持たせ他方には持たせないようにすることにより、用紙を、その中心部分の保持点に対し回転させて、用紙の方向を変換するようになっている。
【０００７】
また、この用紙方向変換装置では、用紙の方向変換速度を速めるために、用紙保持手段で保持した用紙が、用紙搬送面から浮くような構造となっている（例えば、特許文献１参照）。
【特許文献１】特開平５−３０１６５９号公報
【発明の開示】
【発明が解決しようとする課題】
【０００８】
上述した背景技術における用紙方向変換装置は、搬送されてきた用紙に対し、まず、用紙保持手段により、その中央部分で上下から挟み、かつ回転可能なように保持し、次に、この用紙保持手段の両側に配置されて別々に動作する用紙方向変換用ローラに対し、ニップ解除ソレノイドのオン・オフ動作により、その片方のみに搬送駆動力を与えることにより、用紙の方向を変換する構成、構造となっているので、構成、構造が複雑化してコスト高になる、という問題点があり、また、用紙方向変換用ローラはその上側の搬送ピンチローラがその自重により下側の搬送駆動ローラと共に用紙搬送力が与えられる構造となっているため、用紙の紙質、サイズによっては、確実に９０°回転させることができず、回転不足や回転しすぎが発生する危険性があり、また、用紙保持手段の両側に用紙方向変換ローラが配置されているので、これらのうちのどちらに用紙搬送力を与えるかによって、下流側に搬送される用紙の方向が逆になってしまう危険性があり、更に、操作が繁雑になる、という問題点があった。
【０００９】
本発明の目的は、上記背景技術における問題点に鑑みて、構成、構造を単純化してコストの低減をはかると共に、操作も単純化できるようにし、しかも用紙の紙質やサイズに関らず、また紙質等がその都度変化しても正常動作を続行することができる用紙方向変換装置および用紙処理システムを提供することにある。
【課題を解決するための手段】
【００１０】
本発明の用紙方向変換装置は、
上流側から搬送されてきた用紙の縦横方向を、下流側の処理に合うように変換する用紙方向変換装置であって、次の各構成を有することを特徴とする。
（イ）前記用紙を搬送路面上に載せて下流側へと搬送する搬送路
（ロ）前記搬送路面上に載せられ搬送されてきた用紙の上面に加圧接触し、かつ、前記用紙がこの接触点のまわりに回転可能なように接触する用紙上面加圧接触機構
（ハ）前記用紙上面加圧接触機構による前記用紙上面に対する接触圧力を、上流側から搬送されてくる用紙に関する情報及び下流側の処理情報に基づき調整、制御する接触圧力調整制御部
【００１１】
また、前記用紙上面加圧接触機構が、前記搬送路面との間に前記用紙を挟んでその上面に接触するボールと、このボールが前記搬送路面上の一定の位置をキープするようにこのボールを保持するボール保持部と、前記ボールを前記搬送路面上の用紙上面に設定圧力で押し付けるボール押圧手段と、を備えて成る前記用紙方向変換装置である。
【００１２】
また、前記ボール押圧手段が、一端が保持され他方端側で前記ボールを前記搬送路面方向に加圧するばねと、前記ボール保持部に、ねじを介して回転可能なように保持され、かつ、前記ばねの一端を保持して、回転することにより前記ばねの押圧力を変化されるばね圧制御機構部と、モータにより前記ばね圧制御機構部を回転させて前記ばねの押圧力を変化させ、前記ボールによる用紙上面への押圧力を調整、制御する押圧力制御部と、を含んで成る、前記用紙方向変換装置である。
【００１３】
更に、前記接触圧力調整制御部が、上流側から搬送されてくる用紙に関する情報、及び下流側の処理に関する情報並びにこの用紙方向変換装置の動作情報を記憶しておく記憶部と、この記憶部に記憶されている情報に基づいて、前記用紙上面加圧接触機構による前記用紙に対する接触圧力を調整、制御する制御部と、この制御部からの指令により動作する制御機構部と、を備えて成る前記用紙方向変換装置である。
【００１４】
更にまた、前記のいずれか１項に記載の用紙方向変換装置と、その上流に、この用紙方向変換装置に用紙を供給する用紙供給装置と、その下流に、この用紙方向変換装置から搬送されてきた用紙に対する後処理を行う用紙後処理装置と、を配備して成る用紙処理システムである。
【発明の効果】
【００１５】
本発明は、搬送路面上に載せられて搬送されてきた用紙に対し、その上面に接触し、かつこの用紙をその接触点のまわりに回転可能なように接触する１つの用紙上面加圧接触機構を設けて、これによる用紙上面への接触圧力を接触圧力調整制御部で制御するようになっているので、装置全体の構成、構造を単純化することができてコストを低減することができる、という効果があり、また、接触圧力調整制御部は、上流側から搬送されてくる用紙の情報や下流側の用紙処理情報等を記憶しておいて、これら情報に基づいて用紙の接触圧力を調整、制御する構成となっているので、操作も単純化されている上、用紙の紙質やサイズ等に関係なく、これらが変化しても、また用紙に対する後処理がどのように行なわれようとも、常に正常な動作を続行することができる、という効果がある。
【発明を実施するための最良の形態】
【００１６】
本発明を実施するための最良の形態は、
上流側から搬送されてきた用紙の縦横方向を、下流側の処理に合うように変換する用紙方向変換装置であって、次の各構成を有している。
（イ）上記用紙を搬送路面上に載せて下流側へと搬送する搬送路
（ロ）上記搬送路面上に載せられ搬送されてきた用紙の上面に加圧接触し、かつ、上記用紙がこの接触点のまわりに回転可能なように接触する用紙上面加圧接触機構
（ハ）上記用紙上面加圧接触機構による上記用紙上面に対する接触圧力を、上流側から搬送されてくる用紙に関する情報及び下流側の処理情報に基づき調整、制御する接触圧力調整制御部
【００１７】
そして上記用紙上面加圧接触機構が、上記搬送路面との間に上記用紙を挟んでその上面に接触するボールと、このボールが上記搬送路面上の一定の位置をキープするようにこのボールを保持するボール保持部と、上記ボールを上記搬送路面上の用紙上面に設定圧力で押し付けるボール押圧手段と、を備えて成り、
このボール押圧手段が、一端が保持され他方端側で上記ボールを上記搬送路面方向に加圧するばねと、上記ボール保持部に、ねじを介して回転可能なように保持され、かつ、上記ばねの一端を保持して、回転することにより上記ばねの押圧力を変化されるばね圧制御機構部と、モータにより上記ばね圧制御機構部を回転させて上記ばねの押圧力を変化させ、上記ボールによる用紙上面への押圧力を調整、制御する押圧力制御部と、を含んで構成する。
【００１８】
また、上記接触圧力調整制御部が、上流側から搬送されてくる用紙に関する情報、及び下流側の処理に関する情報並びにこの用紙方向変換装置の動作情報を記憶しておく記憶部と、この記憶部に記憶されている情報に基づいて、上記用紙上面加圧接触機構による上記用紙に対する接触圧力を調整、制御する制御部と、この制御部からの指令により動作する制御機構部と、を備えた構成となっている。
【実施例】
【００１９】
次に本発明の実施例について図面を参照して説明する。
図１は本発明における用紙方向変換装置の一実施例を示す、装置全体の平面図、図２（ａ），（ｂ）はその主要部の平面図及び上流側から見た側面図、図３（ａ），（ｂ）はその主要部の動作を説明するための上流側から見た断面側面図である。
【００２０】
この実施例における用紙方向変換装置は、上流側から搬送されてきた用紙の縦横方向を、下流側の処理装置に合うように変換するものであって、
用紙を搬送路面１１０上に載せて下流側へと搬送する搬送路１００と、
この搬送路１００によって、その搬送路面１１０上に載せられ搬送されてきた用紙の上面に接触し、かつ、またこの用紙がこの接触点のまわりに回転可能なように接触する用紙上面加圧接触機構２００と、
この用紙上面加圧接触機構２００による用紙上面に対する接触圧力を、上流側から搬送されてくる用紙に関する情報及び下流側の処理情報に基づき調整、制御する接触圧力調整制御部３００と、
を有しており、その詳細は次のとおりである。
【００２１】
まず、用紙上面加圧接触機構２００は、
搬送路面１１０との間に用紙を挟んでその上面に接触するボール２１０と、このボール２１０が搬送路面１１０上の一定の位置をキープするようにこのボール２１０を保持するボール保持部２２０と、ボール２１０を搬送路面１１０上の用紙上面に設定圧力で押し付けるボール押圧手段２３０と、
を備えて構成され、更に詳しくは、ボール押圧手段２３０が、一端が保持され他方端側でボール２１０を搬送路面１１０方向に加圧するばね２３１と、ボール保持部２２０に、ねじを介して回転可能なように保持され、かつ、ばね２３１の一端を保持して、回転することによりばね２３１の搬送路面１１０方向に対する押圧力を変化されるばね圧制御機構部２３２と、モータによりばね圧制御機構部２３２を回転させてばね２３１の押圧力を変化させ、ボール２１０による用紙上面への押圧力を調整、制御する押圧力制御部２３３と、
を含む構成となっている。
【００２２】
また、接触圧力調整制御部３００は、上流側から搬送されてくる用紙に関する情報（例えば、用紙サイズ、紙質、縦横方向等）、及び下流側の処理に関する情報（例えば、処理装置情報、その用紙処理における縦横方向等）、並びにこの用紙方向変換装置における各部の動作情報を記憶しておく記憶部（３１０、図示省略）と、この記憶部（３１０）に記憶されている情報に基づいて、用紙上面加圧接触機構２００による用紙に対す接触圧力を調整、制御する、センサ３２１を含む制御部（３２０，３２１以外、図示省略）と、この制御部（３２０）からの指令に基づいて動作する制御機構部３３０と、を備えた構成となっている。
【００２３】
なお、この実施例においては、図１に示されているように、用紙ガイド機構４００が設けられていて、方向が変換された用紙を、搬送路１００の片側に寄せるようにしているが、用紙サイズや下流側の装置によっては配置しなくてもよい。
また、この実施例においては上流側の装置及び下流側の装置を含まない用紙方向変換装置のみの例を上げたが、上流側の装置及び下流側の装置を含んだシステム、即ち、用紙処理システムとして構成することもできる。
【図面の簡単な説明】
【００２４】
【図１】本発明における用紙方向変換装置の一実施例を示す装置全体の平面図である。
【図２】図１に示された実施例における主要部の平面図及び上面側から見た側面図である。
【図３】図１に示された実施例における主要部の動作を説明するための上流側から見た断面側面図である。
【符号の説明】
【００２５】
１００  搬送路
１１０  搬送路面
２００  用紙上面加圧接触機構
２１０  ボール
２２０  ボール保持部
２３０  ボール押圧手段
２３１  ばね
２３２  ばね圧制御機構部
２３３  押圧力制御部
３００  接触圧力調整制御部
３１０  記憶部
３２０  制御部
３２１  センサ
３３０  制御機構部
４００  用紙ガイド機構
【図１】
2007008625.tif 000003
【図２】
2007008625.tif 000004
【図３】
2007008625.tif 000005